(57)【要約】【課題】ゴム状弾性筒体を回転軸に強く固定することができる構造でありながら、回転軸への取付け作業を簡単に行うことができる筒型ダイナミックダンパを提供する。【解決手段】回転軸を圧入させるゴム状弾性筒体２と、ゴム状弾性筒体２の外側でゴム状弾性筒体２と同芯状に位置する筒状の質量部材３とを、ゴム状弾性材から成る連結部４を介して連結してある筒型ダイナミックダンパであって、ゴム状弾性筒体２の内周面を周方向に凹凸状に形成してある。【選択図】　　　　図２
2004100796.tif 000002
【特許請求の範囲】
【請求項１】
回転軸を圧入させるゴム状弾性筒体と、前記ゴム状弾性筒体の外側で前記ゴム状弾性筒体と同芯状に位置する筒状の質量部材とを、ゴム状弾性材から成る連結部を介して連結してある筒型ダイナミックダンパであって、
前記ゴム状弾性筒体の内周面を周方向に凹凸状に形成してある筒型ダイナミックダンパ。
【請求項２】
前記ゴム状弾性筒体の内周面を前記ゴム状弾性筒体の軸心方向視で星形に形成してある請求項１記載の筒型ダイナミックダンパ。
【発明の詳細な説明】
【０００１】
【発明の属する技術分野】
本発明は、回転軸を圧入させるゴム状弾性筒体と、前記ゴム状弾性筒体の外側で前記ゴム状弾性筒体と同芯状に位置する筒状の質量部材とを、ゴム状弾性材から成る連結部を介して連結してある筒型ダイナミックダンパに関する。
【０００２】
【従来の技術】
自動車のドライブシャフト等の回転軸には回転のアンバランス等に起因して曲げ振動やねじり振動が発生することがある。このような場合、筒型ダイナミックダンパ（以下、「ダイナミックダンパ」と略称する）を回転軸に取付けて振動を抑制している。つまり、固有振動数を回転軸の振動数に合わせたダイナミックダンパを回転軸の回転に伴って共振させ、回転軸の振動エネルギーを筒型ダイナミックダンパの振動エネルギーとして吸収することで回転軸の振動を抑制する。
【０００３】
従来、上記のダイナミックダンパでは、特許文献１に開示されているように、回転軸を圧入させるゴム状弾性筒体の内周面をゴム状弾性筒体の軸心方向視で円形に形成してあった。
【０００４】
【特許文献１】
特開２００１−３４９３７９号公報
【０００５】
【発明が解決しようとする課題】
回転軸に取付けたダイナミックダンパが振れ回りしたり、回転軸の取付け位置から軸心方向にずれしたりすると、回転軸の回転バランスが悪くなって振動を抑制しにくくなることから、ダイナミックダンパのゴム状弾性筒体を回転軸の所望の位置に強く固定する必要がある。
【０００６】
その手段として、回転軸の外径とゴム状弾性筒体の内径との差を大きくしてゴム状弾性筒体を回転軸に強く固定する手段があるが、上記従来の構成によれば、回転軸を圧入させるゴム状弾性筒体の内周面をゴム状弾性筒体の軸心方向視で円形に形成してあったために中空孔が拡径しにくく、上記の手段を採用すると、ゴム状弾性筒体への回転軸の圧入が困難になる。そこで、上記の手段に換え、ゴム状弾性筒体の軸心方向の両端部に締付けバンドを巻き付けるという手段を採用していた（特許文献１の第３頁第３欄参照）。
【０００７】
ところが、この手段では締め付けバンドが必要で部品点数が多くなるだけでなく、締付けバンドの巻き付け工程分だけ組付け工程が増えて回転軸へのダイナミックダンパの取付け作業に手間がかかるという問題があった。
【０００８】
本発明は上記実状に鑑みて成されたもので、その目的は、ゴム状弾性筒体を回転軸に強く固定することができる構造でありながら、回転軸への取付け作業を簡単に行うことができる筒型ダイナミックダンパを提供する点にある。
【０００９】
【課題を解決するための手段】
請求項１による発明の構成は、回転軸を圧入させるゴム状弾性筒体と、前記ゴム状弾性筒体の外側で前記ゴム状弾性筒体と同芯状に位置する筒状の質量部材とを、ゴム状弾性材から成る連結部を介して連結してある筒型ダイナミックダンパであって、
前記ゴム状弾性筒体の内周面を周方向に凹凸状に形成してある点にある。
【００１０】
この構成によれば、回転軸をゴム状弾性筒体に相対的に押し込むと、それに伴って、内周面の凸部が圧縮して内周面が拡径する。「相対的に押し込む」とは、回転軸とゴム状弾性筒体との少なくとも一方側を他方側に対して押し込むことである。
【００１１】
前記凸部は周方向で拘束されていなくて圧縮されやすいから、内周面が軸心方向視で円形の従来の構造よりも内周面を大きく拡径させることができ、回転軸をゴム状弾性筒体に円滑に圧入することができる。そして内周面が大きく拡径すると、圧縮した凸部が回転軸にそれだけ強く圧接し、これにより、回転軸にゴム状弾性筒体を強く固定することができる。
【００１２】
つまり、回転軸の外径とゴム状弾性筒体の内径（最大の内径）との差を大きくしたり、ゴム状弾性筒体の軸心方向の両端部に締付けバンドを巻き付けたりしなくても、ゴム状弾性筒体を回転軸に強く固定することができる。
【００１３】
また、ゴム状弾性筒体の軸心方向の両端部に締付けバンドを巻き付けなくても済むから、部品点数を少なくすることができる。
【００１４】
請求項２による発明の構成は、請求項１による発明の構成において、前記ゴム状弾性筒体の内周面を前記ゴム状弾性筒体の軸心方向視で星形に形成してある
点にある。
【００１５】
この構成によれば、ゴム状弾性筒体の中空孔をゴム状弾性筒体の軸心方向視で星形に形成して凸部をほぼ三角形に設定してあるから、凸部が四角形の場合に比べると、回転軸をゴム状弾性筒体に相対的に押し込んだときに凸部をより円滑に圧縮させやすく、回転軸をゴム状弾性筒体に圧入しやすくすることができる。
【００１６】
【発明の実施の形態】
以下、本発明の実施の形態を図面に基づいて説明する。図１，図２に、自動車のドライブシャフト（回転軸に相当、図３参照）１を圧入させるゴム状弾性筒体２と、ゴム状弾性筒体２の外側でゴム状弾性筒体２と同芯状に位置する丸筒状の質量部材３とを、ゴム状弾性材から成る連結部４を介して連結してある筒型ダイナミックダンパ（以下、「ダイナミックダンパ」と略称する）を示してある。
【００１７】
このダイナミックダンパは、前述したようにドライブシャフト１の振動エネルギーを共振により吸収してドライブシャフト１の振動を抑制するが、ドライブシャフト１に取付けたダイナミックダンパが振れ回りしたり、ドライブシャフト１の取付け位置から軸心方向にずれたりすると、ドライブシャフト１の回転バランスが悪くなって振動を抑制しにくくなることから、ダイナミックダンパのゴム状弾性筒体２をドライブシャフト１の所望の位置に強く固定する必要がある。
【００１８】
そこで、ゴム状弾性筒体２の内周面をゴム状弾性筒体２の軸心方向視で星形の凹凸状（凸部・凹部がそれぞれ６個づつの「六つ星」形）に形成して、ゴム状弾性筒体２をドライブシャフト１の所望の位置に強く固定することができるようにしてある。前記内周面の凸部・凹部はそれぞれ三角形であり、頂部及び底部を曲面状に形成してある。
【００１９】
ゴム状弾性筒体２と質量部材３との軸心方向の長さはほぼ同一で、それらの両端面を前記軸心方向でほぼ同一位置に揃えてある。また、中空孔５の最大径（対向する一対の凹部の底面同士の距離）はドライブシャフト１の径よりもわずかに（例えば１ｍｍ）小さく設定してある。
【００２０】
上記構造のダイナミックダンパを成形するに、質量部材３よりも少し大径の丸穴を備えた外型と、中空孔５に対応する断面星形状の第１中型と、連結部４を形成するためのリング状の第２中型とを準備し、外型の丸穴内に質量部材３を少し間隔を空けて同芯状に配置するとともに、第１及び第２中型を前記丸穴内に質量部材３と同芯状に配置し、外型内に形成されたゴム配合物受け入れ空間内にゴム配合物を供給する。
【００２１】
このようにして成形することで、質量部材３がゴム状弾性体で覆われるとともに、このゴム状弾性体とゴム状弾性筒体２と連結部４とが一体に連なった状態になる。
【００２２】
上記構造のダイナミックダンパのゴム状弾性筒体２の中空孔５にドライブシャフト１を相対的に押し込むと、内周面の凸部が圧縮して内周面を大きく拡径させることができ、ドライブシャフト１をゴム状弾性筒体２に円滑に圧入することができるとともに、ドライブシャフト１にゴム状弾性筒体２を強く固定することができる。図３にドライブシャフト１をゴム状弾性筒体２に圧入した状態を示してある。
【００２３】
［別実施形態］
前記回転軸はドライブシャフト１に限られるものではなく、自動車に設けたその他の回転軸であってもよい。また、自動車に設けた回転軸に限られるものでもなく、その他の装置・設備等に設けた回転軸であってもよい。ゴム状弾性筒体２の内周面をゴム状弾性筒体２の軸心方向視で星形以外の凹凸状に形成してあってもよい。
【００２４】
【発明の効果】
本発明によれば、ゴム状弾性筒体を回転軸に強く固定することができる構造でありながら、回転軸への取付け作業を簡単に行うことができる筒型ダイナミックダンパを提供することができた。また、ゴム状弾性筒体の軸心方向の両端部に締付けバンドを巻き付けなくても済んで部品点数を少なくすることができ、回転軸に対するダイナミックダンパの取付け構造を簡素化することができた。
【００２５】
そして、前記ゴム状弾性筒体の内周面を前記ゴム状弾性筒体の軸心方向視で星形に形成してあると、ゴム状弾性筒体を回転軸に強く固定することができる構造でありながら、回転軸への取付け作業をより簡単に行うことができるようになるという利点がある。
【図面の簡単な説明】
【図１】筒型ダイナミックダンパの縦断正面図
【図２】筒型ダイナミックダンパの縦断側面図
【図３】回転軸に筒型ダイナミックダンパを取付けた状態を示す図
【符号の説明】
１　　　回転軸
２　　　ゴム状弾性筒体
３　　　質量部材
４　　　連結部
【図１】
2004100796.tif 000003
【図２】
2004100796.tif 000004
【図３】
2004100796.tif 000005